(57)【要約】【課題】携帯電話機などモバイル（移動）端末機によるデータベースサーバへの１回のアクセスにより該サーバに収容されているプリントアウト用データの中から希望するデータを選択してプリントアウトサービス取扱店舗等に設置されているプリンターやコピー機により、通信所要時間及び通信費を軽減して手早くプリント出力できるようにする。【解決手段】携帯端末機Ａと、該端末機ＡとインターネットＮを介して接続されたデータベースサーバＢと、各種プリントサービス店舗に設置されたプリント出力機Ｃと、前記データベースサーバＢとインターネットＮを介して接続され、前記プリント出力機Ｃに付帯して接続したプリントサービス用データサーバＤとからなり、端末機Ａは選択希望したプリントアウト用データをサーバＢからサーバＤにデータ転送させてプリント予約番号を得た後、該番号を出力機Ｃに入力して選択希望データをプリント出力機Ｃから出力する。【選択図】図１
2005275515.tif 000002
【特許請求の範囲】
【請求項１】
アクセス用パスワード入力により情報検索照会及び検索照会結果表示及び照会結果からプリントアウト用データの選択希望及びプリント指令が可能な携帯端末機Ａと、該携帯端末機ＡとインターネットＮを介して接続され、該端末機Ａに対して各種検索照会結果とプリント指令に基づくプリント予約番号とを発信するデータベースサーバＢと、各種プリントサービス店舗に設置され且つ前記端末機Ａからのプリント予約番号によるプリント指令を受信するプリント出力機Ｃと、前記データベースサーバＢとインターネットＮを介して接続され、前記プリント出力機Ｃに付帯して接続したプリントサービス用データサーバＤとからなり、前記携帯端末機Ａからの選択希望したプリントアウト用データのプリントアウト指令に基づき、データベースサーバＢは端末機Ａの選択希望したプリントアウト用データをプリントサービス用データサーバＤにデータ転送し、プリントサービス用データサーバＤは端末機Ａの選択希望した前記プリントアウト用データにプリント予約番号を付与してデータベースサーバＢを介して携帯端末機Ａに発行し、該携帯端末機Ａは発行された前記プリント予約番号によるプリント指令をプリント出力機Ｃに発信し、該プリント出力機Ｃは受信したプリント予約番号を前記プリントサービス用データサーバＤに発信し、該プリントサービス用データサーバＤは受信したプリント予約番号に該当するプリントアウト用データの供給適否の認証を付与し、適認証であれば、該プリント予約番号に該当するプリントアウト用データをプリント出力機Ｃに出力してプリントアウトさせることを特徴とするモバイルプリントサービスシステム。
【請求項２】
前記プリントサービス用データサーバＤはプリントアウト認証手段Ｅを備え、該認証手段Ｅは、受信したプリント予約番号が、該サーバＤの登録済みプリント予約番号メモリテーブル内に存在することを検索照会実行して確認し、当該プリント予約番号に該当するプリントアウト用データの供給適の認証を付与することを特徴とする請求項１記載のモバイルプリントサービスシステム。
【発明の詳細な説明】
【技術分野】
【０００１】
本発明は、携帯電話機などモバイル（移動）端末機を用いて、データベースサーバに収容されているプリントアウト用データの中から希望するデータを選択し、プリントサービス店舗等に設置されているプリンターやコピー機により、選択したデータをシートにプリント出力できるようにしたモバイルプリントサービスシステムに関する。
【背景技術】
【０００２】
従来、営業販売担当者や技術担当者などが、自社内にある書類を外出先にてプリントアウトサービスを利用してシート上にプリント出力するには、担当者の所持する手元の携帯電話機やＰＨＳなどモバイル端末機（移動端末機）により、無線電話回線を利用して社内データベースサーバにアクセスし、必要とするプリントアウト用データをデータベースから該端末機のメモリにダウンロードした後、コンビニエンスストアなどのプリントアウトサービス取扱店舗に設置されたプリンターやコピー機にプリントアウト用データをアップロードしてプリント出力する必要があった。
【０００３】
このように、従来のプリントアウト方式は、モバイル端末機を用いて社内データベースサーバにアクセスして、必要とするプリントアウト用データをデータベースから該端末機のメモリに一旦転送するダウンロードと、該端末機にダウンロードされたプリントアウト用データをプリントアウトサービス取扱店舗に設置されたプリンターやコピー機に転送するダウンロードの２回の接続が必要であった。
【０００４】
そのために、プリントアウト用データの送信の取り扱いにおいては、ダウンロードとアップロードの２回のデータ送信による多大のデータ送信量の信号を取り扱う必要があり、プリントアウトにおいて、多大のデータ通信処理時間と通信費が掛かっていた。
【発明の開示】
【発明が解決しようとする課題】
【０００５】
本発明の課題は、社員あるいは会員が所持する携帯電話機などモバイル（移動）端末機による社内用又は会員用データベースサーバへの１回のアクセスにより、該データベースサーバに収容されているプリントアウト用データの中から希望するデータを選択し、選択したデータを、各地域に展開しているプリントアウトサービス取扱店舗等に設置されているプリンターやコピー機により、選択希望したプリントアウト用データによる可視情報をシート上にプリント出力できるようにすることによって、通信所要時間及び通信費を軽減し、手早くプリント出力できるようにすることにある。
【課題を解決するための手段】
【０００６】
本発明の請求項１に係る発明は、アクセス用パスワード入力により情報検索照会及び検索照会結果表示及び照会結果からプリントアウト用データの選択希望及びプリント指令が可能な携帯端末機Ａと、該携帯端末機ＡとインターネットＮを介して接続され、該端末機Ａに対して各種検索照会結果とプリント指令に基づくプリント予約番号とを発信するデータベースサーバＢと、各種プリントサービス店舗に設置され且つ前記端末機Ａからのプリント予約番号によるプリント指令を受信するプリント出力機Ｃと、前記データベースサーバＢとインターネットＮを介して接続され、前記プリント出力機Ｃに付帯して接続したプリントサービス用データサーバＤとからなり、前記携帯端末機Ａからの選択希望したプリントアウト用データのプリントアウト指令に基づき、データベースサーバＢは端末機Ａの選択希望したプリントアウト用データをプリントサービス用データサーバＤにデータ転送し、プリントサービス用データサーバＤは端末機Ａの選択希望した前記プリントアウト用
データにプリント予約番号を付与してデータベースサーバＢを介して携帯端末機Ａに発行し、該携帯端末機Ａは発行された前記プリント予約番号によるプリント指令をプリント出力機Ｃに発信し、該プリント出力機Ｃは受信したプリント予約番号を前記プリントサービス用データサーバＤに発信し、該プリントサービス用データサーバＤは受信したプリント予約番号に該当するプリントアウト用データの供給適否の認証を付与し、適認証であれば、該プリント予約番号に該当するプリントアウト用データをプリント出力機Ｃに出力してプリントアウトさせることを特徴とするモバイルプリントサービスシステムである。
【０００７】
本発明の請求項２に係る発明は、上記請求項１に係るモバイルプリントサービスシステムにおいて、前記プリントサービス用データサーバＤはプリントアウト認証手段Ｅを備え、該認証手段Ｅは、受信したプリント予約番号が、該サーバＤの登録済みプリント予約番号メモリテーブル内に存在することを検索照会実行して確認し、当該プリント予約番号に該当するプリントアウト用データの供給適の認証を付与することを特徴とするモバイルプリントサービスシステムである。
【発明の効果】
【０００８】
本発明のモバイルプリントサービスシステムによれば、社員あるいは会員の所持する携帯端末機Ａ（モバイル端末機）からの１回のアクセスにより、プリントアウト用データ（情報）の選択と、選択希望したプリントアウト用データのプリントアウト指令を行うことができ、社内又は会員制のデータベースサーバＢは、その端末機Ａによるプリントアウト指令に基づいて、該端末機Ａの選択希望したプリントアウト用データをプリントサービス用データサーバＤにデータ転送することができる。
【０００９】
そして、プリントサービス用データサーバＤは、該端末機Ａの選択希望した前記プリントアウト用データにプリント予約番号を付与することができ、データベースサーバＢを介して携帯端末機Ａにプリント予約番号を送信して発行することができる。
【００１０】
そして、該携帯端末機Ａは、発行されたプリント予約番号によるプリント指令を、プリントアウトサービスの取扱店舗に設置されたプリント出力機Ｃに対して発信することにより、該プリント出力機Ｃは、受信したプリント予約番号を前記プリントサービス用データサーバＤに発信し、当該プリント予約番号及びその番号に該当するプリントアウト用データがプリントサービス用データサーバＤ内に予約されているか否かの供給適否の認証を確認することができる。
【００１１】
そして、供給適の認証が得られれば、プリントサービス用データサーバＤは、該プリント予約番号に該当するプリントアウト用データ信号をプリント出力機Ｃに出力でき、プリント出力機Ｃは、該プリントアウト用データ信号に基づいてシート上にプリントアウト用データ（選択希望した情報）を、文章や画像など可視情報としてプリント出力することができる。
【発明を実施するための最良の形態】
【００１２】
本発明のモバイルプリントサービスシステムの実施の形態を以下に詳細に説明すれば、図１は、本発明のシステムブロック図であり、事業所の営業担当者若しくは技術担当者など社員、又は予め会員としてデータベースサーバＢに契約若しくは登録された会員（ユーザ）が所持する携帯端末機Ａ（モバイル端末機）と、該携帯端末機ＡとインターネットＮを介して接続された事業所（会社）内用又は会員用のデータベースサーバＢと、各種プリントアウトサービス取扱店舗に設置されたプリント出力機Ｃと、前記データベースサーバＢとインターネットＮを介して接続され、且つ前記プリント出力機Ｃに付帯して接続したプリントサービス用データサーバＤとからなる。
【００１３】
携帯端末機Ａは、インターネットＮを介して接続されたデータベースサーバＢに対してアクセス用のドメイン（データベース接続用ドメイン）、パスワード（社員識別番号、会員識別番号など）等を入力することにより、データベースサーバＢへのアクセスメニューを開くことができ、そのアクセスメニューに基づいて、該サーバＢに蓄積されている各種の情報の検索、照会と、検索、照会結果の表示と、照会結果からのプリントアウト用データの選択希望と、選択希望したプリントアウト用データのプリント指令が可能になっている。
【００１４】
データベースサーバＢは、インターネットＮを介して接続された携帯端末機Ａからの指示に基づいて、携帯端末機Ａによる各種情報の検索、照会と、検索、照会結果の発信と、照会結果からのプリントアウト用データの選択希望の受理と、受理したプリントアウト用データのプリント指令の受理と、プリント指令に基づいて受理したプリントアウト用データに付与するプリント予約番号の発信を、携帯端末機Ａに対して行うことができる。
【００１５】
プリント出力機Ｃは、各種のプリントアウトサービス取扱店舗に設置されていて、通常市販の事務用印刷機、レーザープリンター、ドットプリンター、サーモプリンターなどいずれでもよく、各種のプリントアウトサービス取扱店舗に設置可能な印刷機、あるいは印刷機兼用の複写機であり、前記携帯端末機Ａからのプリント予約番号の入力によりプリント指令を受信して動作するようになっている。
【００１６】
プリントサービス用データサーバＤは、インターネットＮを介してデータベースサーバＢと接続していて、該サーバＤにはプリント予約番号の発行及びプリント予約番号の検索照会及びプリント予約番号の認証を行う認証手段Ｅを搭載している。
【００１７】
前記プリントサービス用データサーバＤは、プリント出力機Ｃに付帯して有線接続されており、前記プリント出力機Ｃと一体的に設置されていてもよいし、プリント出力機Ｃの設置されたプリントアウトサービス取扱店舗内に設置されていてもよいし、他の場所に設置されていてもよい。
【００１８】
前記データベースサーバＢは、携帯端末機Ａからの選択希望したプリントアウト用データのプリント指令に基づき、該端末機Ａの選択希望したプリントアウト用データをプリントサービス用データサーバＤに、インターネットＮを介してデータ転送（バッジ方式などによるデータのダウンロード）することができるようになっている。
【００１９】
プリントサービス用データサーバＤは、データベースサーバＢからデータ転送された前記端末機Ａが選択希望した前記プリントアウト用データに対して、データ識別用のプリント予約番号を付与するとともに、付与した該プリント予約番号を、後の認証照合操作用の照合用登録済みプリント予約番号として、サーバＤのメモリの認証照合用データテーブルに記録、登録する。
【００２０】
そして、該プリントサービス用データサーバＤは、付与した前記端末機Ａが選択希望した前記プリントアウト用データ識別用のプリント予約番号をインターネットＮを介して、データベースサーバＢに転送するとともに、該データベースサーバＢから前記端末機Ａに対して、前記プリントアウト用データ識別用のプリント予約番号を発行し送信して、該端末機Ａのディスプレイ画面（液晶表示画面など）に当該プリント予約番号を可視表示するものである。
【００２１】
該携帯端末機Ａは、発行された前記プリント予約番号を、各種のプリントアウトサービス取扱店舗のうち、最寄りの取扱店舗に設置されているプリント出力機Ｃに対して発信入力して、前記プリント予約番号に対応するプリントアウト用データのプリント指令を該プ
リント出力機Ｃに発信する。
【００２２】
そして、プリント出力機Ｃは、受信したプリント予約番号を前記プリントサービス用データサーバＤに発信し、該プリントサービス用データサーバＤは、受信したプリント予約番号から、該サーバＤのメモリの認証照合用データテーブルに既に記録、登録されている認証照合用のプリント予約番号を検索して、認証照合用データテーブル内に受信した前記プリント予約番号の存在の有無を確認する。
【００２３】
プリントサービス用データサーバＤは、受信した前記プリント予約番号が認証照合用データテーブル内に存在していれば、受信したプリント予約番号に該当するプリントアウト用データの供給適否の認証の適認証を付与し、該プリント予約番号に該当するプリントアウト用データを前記プリント出力機Ｃに出力する。
【００２４】
プリント出力機Ｃは、プリントサービス用データサーバＤから出力されたプリントアウト用データに基づいて、前記携帯端末機Ａの選択希望したプリントアウト用データに対応する可視情報をシート上にプリント出力する。
【００２５】
以下に、本発明のモバイルプリントサービスシステムの具体的な実施例を、図２〜図３に示すシステムフローチャートに基づいて以下に詳細に説明する。
【００２６】
＜ｓｔｅｐ１＞
まず、モバイルプリントサービスを利用する事業所の営業担当者若しくは技術担当者又はモバイルプリントサービス会員（以下、ユーザーと称す）は、所持する携帯端末機Ａにより、インターネットＮを介してデータベースサーバＢに対してアクセスパスワード（担当者ＩＤ、パスワードなど）を送信入力してアクセスし、該端末機Ａのディスプレイ画面にサーバＢの情報提供ページメニューを表示する。
【００２７】
＜ｓｔｅｐ２＞
続いて、ユーザーは、携帯端末機Ａに表示されているサーバＢの情報提供ページメニュー及びコマンドに従って、データベースサーバＢのページデータを開き、サーバＢの集積データ中から希望する入手したい必要な情報データを、該端末機Ａのディスプレイ画面に表示する。
【００２８】
＜ｓｔｅｐ３＞
次に、ユーザーは、携帯端末機Ａに表示されている情報データ中からプリント出力を希望するプリントアウト用データを任意に選択する。
【００２９】
＜ｓｔｅｐ４＞
ユーザーは、携帯端末機Ａに表示されている情報データ中からプリント出力を希望するプリントアウト用データを選択指定してクリックすることにより、プリント出力を選択希望する当該プリントアウト用データの指定（例えばバッジ方式によるデータ指定など）と、そのプリント指令がサーバＢに対して発信される。他方、プリント出力を希望しない場合には、クリックによる選択指定はせずに、再度、ｓｔｅｐ２又は３に戻り、希望する入手したい必要な情報データを、該端末機Ａのディスプレイ画面に表示して、プリント出力を希望するプリントアウト用データを再度、任意に選択する。
【００３０】
＜ｓｔｅｐ５＞
データベースサーバＢに対して、プリントアウト用データの指定と、そのプリント指令が発信されると、該サーバＢは、携帯端末機Ａから発信したプリント指令を受信し、前記端末機Ａが指定した選択希望プリントアウト用データをプリントサーバＤに転送する。
【００３１】
＜ｓｔｅｐ６＞
続いて、プリントサーバＤは、データベースサーバＢから転送された選択希望のプリントアウト用データに対し、認証手段Ｅによりプリント予約番号（ＩＤ、パスワードなど）を付与し、付与したプリント予約番号は、該認証手段Ｅの登録済みプリント予約番号メモリテーブル内に記録登録して、プリント予約番号の発行を行うとともに、登録された当該プリント予約番号をサーバＢに送信する。
【００３２】
＜ｓｔｅｐ７＞
データベースサーバＢは、サーバＤから登録発行されて送信された登録済みプリント予約番号を受信して受理した後、前記ユーザーの所持する携帯端末機Ａに発信する。
【００３３】
＜ｓｔｅｐ８＞
次に、上記ユーザーは、携帯端末機Ａにより、サーバＤからサーバＢを経由して送信されてきた登録済みプリント予約番号を受信し、受信した登録済みプリント予約番号を、最寄りのプリントアウトサービス取扱店舗に設置されたプリント出力機Ｃに入力することにより、当該プリント予約番号に対応するプリントアウト用データのプリント出力を指示する。
【００３４】
＜ｓｔｅｐ９＞
プリント出力機Ｃは、上記携帯端末機Ａにて入力され、プリントアウトを指示されたプリント予約番号をプリントサーバＤに送信する。
【００３５】
＜ｓｔｅｐ１０＞
プリントサーバＤは、プリント出力機Ｃから送信されたプリント予約番号を受信する。
【００３６】
＜ｓｔｅｐ１１＞
プリントサーバＤは、プリント出力機Ｃから受信したプリント予約番号と同一の登録済みプリント予約番号が、サーバＤの登録済みプリント予約番号テーブルに存在するか否かを認証手段Ｅにより検索照会し、プリントアウト用データの転送供給の適否を判定認証する。
【００３７】
＜ｓｔｅｐ１２＞
プリントサーバＤは、プリント出力機Ｃから受信したプリント予約番号と同一の登録済みプリント予約番号がサーバＤの登録済みプリント予約番号テーブルに存在すれば、ｓｔｅｐ１３に進み、存在していなければｓｔｅｐ１６に進み、プリントサーバＤは、プリントアウト用データの転送供給を拒否する。
【００３８】
＜ｓｔｅｐ１３＞
プリントサーバＤは、プリントアウト用データの転送供給を許可する。
【００３９】
＜ｓｔｅｐ１４＞
プリントサーバＤは、携帯端末機Ａの選択希望したプリント用アウトデータをプリント出力機Ｃに送信供給する。
【００４０】
＜ｓｔｅｐ１５＞
プリント出力機Ｃは、サーバＤから送信供給された携帯端末機Ａの選択希望したプリントアウト用データをシートＳに可視情報データとしてプリント出力する。
【図面の簡単な説明】
【００４１】
【図１】本発明のモバイルプリントサービスシステムのシステムブロック図。
【図２】本発明のモバイルプリントサービスシステムのシステムフローチャート図。
【図３】本発明のモバイルプリントサービスシステムのシステムフローチャート図。
【符号の説明】
【００４２】
Ａ…携帯電話機  Ｂ…データベースサーバ  Ｃ…プリント出力機  Ｄ…プリントサーバ
Ｅ…認証手段  Ｎ…インターネット
【図１】
2005275515.tif 000003
【図２】
2005275515.tif 000004
【図３】
2005275515.tif 000005